(57)【要約】【課題】白鍵及び黒鍵に良好な触感と良好な外観を与えると共に、白鍵と黒鍵の演奏時の触感差を最小限に抑える。【解決手段】白鍵２０の上板部２４等は、粉状にした石の粉と白色系の着色剤とをＡＳ樹脂に混ぜた材料にて、金型射出成形により形成される。黒鍵３０は、上板部２４等の材料とは混在させる着色剤のみが異なる同一材料で金型射出成形により形成される。これらの材料で成形した白鍵２０、黒鍵３０は、表面に細かな凹凸ができて多孔質となり、象牙に近似した、吸汗性や適当な滑り抵抗を有する部材となって、演奏に非常に適したものとなる。両者は着色剤が異なるだけであるので、外観や演奏操作に関する特性は全く同じであり、演奏時の触感差がない。【選択図】図１
2008116758.tif 000002
【特許請求の範囲】
【請求項１】
鍵支持部材に揺動自在に支持されるそれぞれ複数の白鍵及び黒鍵を有する電子楽器の鍵盤装置であって、
前記白鍵の上面と前記黒鍵の上面とは、互いに着色剤のみを異にした、吸汗性を有する多孔質の部材で構成されたことを特徴とする電子楽器の鍵盤装置。
【請求項２】
前記白鍵の上面と前記黒鍵の上面との表面粗さが異なっていることを特徴とする請求項１記載の電子楽器の鍵盤装置。
【請求項３】
前記白鍵の前小口が、該白鍵の上面を構成する部材と着色剤も同一の同一部材で構成されたことを特徴とする請求項１または２記載の電子楽器の鍵盤装置。
【請求項４】
前記白鍵の各々の上面の可視光反射率は、当該白鍵の上面における部位によって異なり、上面全体として不均一となるように構成されたことを特徴とする請求項１〜３のいずれか１項に記載の電子楽器の鍵盤装置。
【請求項５】
前記各白鍵の側面のうち、少なくとも、隣接する鍵が押下状態にあるときに外観となって視認される見えがかり領域が、該白鍵の上面と同一部材で構成されたことを特徴とする請求項１〜４のいずれか１項に記載の電子楽器の鍵盤装置。
【請求項６】
鍵支持部材に揺動自在に支持されるそれぞれ複数の白鍵及び黒鍵を有する電子楽器の鍵盤装置であって、
前記白鍵の上面は、吸汗性を有する多孔質の部材で構成され、
且つ、各々の白鍵の上面の可視光反射率が、該白鍵の上面中における部位によって異なり、上面全体として不均一となるように構成されたことを特徴とする電子楽器の鍵盤装置。
【請求項７】
鍵支持部材に揺動自在に支持されるそれぞれ複数の白鍵及び黒鍵を有する電子楽器の鍵盤装置であって、
前記白鍵の上面は、吸汗性を有する多孔質の部材で構成され、
且つ、前記白鍵の側面のうち、少なくとも、隣接する白鍵が押下状態にあるときに外観となって視認される見えがかり領域が、該白鍵の上面と同一部材で構成されたことを特徴とする電子楽器の鍵盤装置。
【発明の詳細な説明】
【技術分野】
【０００１】
本発明は、鍵支持部材に複数の白鍵及び黒鍵が揺動自在に支持される電子楽器の鍵盤装置に関する。
【背景技術】
【０００２】
旧来、電子楽器の鍵盤装置の鍵の素材は、白鍵は象牙、黒鍵は黒檀（こくたん）が最良とされてきた。しかし、特に象牙は資源枯渇や資源保護等のため事実上使用できなくなり、その代材として、白鍵用に、適当な吸汗性、表面硬度、摩擦係数等を有するいわゆる人工象牙が開発された（下記特許文献１）。
【０００３】
一方、黒鍵の素材についても、黒檀の代材が研究されている。黒鍵については、あくまで黒檀が最良であるとの前提であるため、黒檀の特性に近づける方向で材料の開発がなされているのが現状である。
【特許文献１】特公平０６−０３１９３８号公報
【発明の開示】
【発明が解決しようとする課題】
【０００４】
しかしながら、白鍵に象牙、黒鍵に黒檀が採用されてきたのは、自然界で適当量入手可能な材料から採択していたことが要因と考えられ、演奏時のタッチ感触(指で感じる触感)の観点から、これらの自然素材が真に最も優れているものであるとは限らない。人工的に高度な素材開発がなされる昨今、固定観念にとらわれずに基本に立ち返って考察してみる必要がある。
【０００５】
すなわち、演奏に要求される鍵特性として、同じ鍵盤において、白鍵と黒鍵とはタッチ感触が同一であることが好ましいと考えられる。ところが、「象牙あるいは象牙調材料」と「黒檀あるいは黒檀調材料」とでは、材料が異なる以上、タッチ感触も全く同じとはならない。
【０００６】
従って、白鍵が白色系で黒鍵が黒色系であるという色彩上の制約を順守する前提であれば、両者が同一材料であっても問題はなく、むしろタッチ感触の共通化の点で有利になるという考え方をしてもよい。
【０００７】
ところで、白鍵に、人工象牙等の人工材料を用いた場合、外観的にいかにも人工物らしく、高級感が出せないという問題がある。
【０００８】
さらに、人工材料を鍵上面のみに採用した場合は、グリッサンド演奏時の触感が通常演奏時の触感と差異を生じてしまうという問題もある。
【０００９】
本発明は上記従来技術の問題を解決するためになされたものであり、その第１の目的は、白鍵及び黒鍵に良好な触感と良好な外観を与えると共に、白鍵と黒鍵の演奏時の触感差を最小限に抑えることができる電子楽器の鍵盤装置を提供することにある。
【００１０】
本発明の第２の目的は、白鍵に良好な触感と良好な外観を与えると共に、素材の人工物感を抑制することができる電子楽器の鍵盤装置を提供することにある。
【００１１】
本発明の第３の目的は、白鍵に良好な触感と良好な外観を与えると共に、白鍵における通常演奏時とグリッサンド演奏時の触感差を抑制することができる電子楽器の鍵盤装置を提供することにある。
【課題を解決するための手段】
【００１２】
上記目的を達成するために本発明の請求項１の電子楽器の鍵盤装置は、鍵支持部材（１０）に揺動自在に支持されるそれぞれ複数の白鍵（２０）及び黒鍵（３０）を有する電子楽器の鍵盤装置であって、前記白鍵の上面（２４ａ）と前記黒鍵の上面（３３ａ）とは、互いに着色剤のみを異にした、吸汗性を有する多孔質の部材で構成されたことを特徴とする。
【００１３】
好ましくは、前記白鍵の上面と前記黒鍵の上面との表面粗さが異なっている（請求項２）。また、前記白鍵の前小口（２５）が、該白鍵の上面を構成する部材と着色剤も同一の同一部材で構成される（請求項３）。また、前記白鍵の各々の上面の可視光反射率は、当該白鍵の上面における部位によって異なり、上面全体として不均一となるように構成される（請求項４）。また、前記各白鍵の側面のうち、少なくとも、隣接する鍵が押下状態にあるときに外観となって視認される見えがかり領域（２０ｂＡ）が、該白鍵の上面と同一部材で構成される（請求項５）。
【００１４】
上記目的を達成するために本発明の請求項６の電子楽器の鍵盤装置は、鍵支持部材に揺動自在に支持されるそれぞれ複数の白鍵及び黒鍵を有する電子楽器の鍵盤装置であって、前記白鍵の上面は、吸汗性を有する多孔質の部材で構成され、且つ、各々の白鍵の上面の可視光反射率が、該白鍵の上面中における部位によって異なり、上面全体として不均一となるように構成されたことを特徴とする。
【００１５】
上記目的を達成するために本発明の請求項７の電子楽器の鍵盤装置は、鍵支持部材に揺動自在に支持されるそれぞれ複数の白鍵及び黒鍵を有する電子楽器の鍵盤装置であって、前記白鍵の上面は、吸汗性を有する多孔質の部材で構成され、且つ、前記白鍵の側面のうち、少なくとも、隣接する白鍵が押下状態にあるときに外観となって視認される見えがかり領域が、該白鍵の上面と同一部材で構成されたことを特徴とする。
【００１６】
なお、上記括弧内の符号は例示である。
【発明の効果】
【００１７】
本発明の請求項１によれば、白鍵及び黒鍵に良好な触感と良好な外観を与えると共に、白鍵と黒鍵の演奏時の触感差を最小限に抑えることができる。
【００１８】
請求項２によれば、白鍵と黒鍵との外観上の違いを出して人工物感を抑制することができる。
【００１９】
請求項３によれば、白鍵の上面と前面との統一感を持たせて高級感を与えることができる。
【００２０】
請求項４によれば、白鍵の素材の人工物感を抑制することができる。
【００２１】
請求項５によれば、白鍵における通常演奏時とグリッサンド演奏時との触感差を抑制することができる。
【００２２】
本発明の請求項６によれば、白鍵に良好な触感と良好な外観を与えると共に、素材の人工物感を抑制することができる。
【００２３】
本発明の請求項７によれば、白鍵に良好な触感と良好な外観を与えると共に、白鍵における通常演奏時とグリッサンド演奏時との触感差を抑制することができる。
【発明を実施するための最良の形態】
【００２４】
以下、本発明の実施の形態を図面を参照して説明する。
【００２５】
（第１の実施の形態）
図１は、本発明の第１の実施の形態に係る電子楽器の鍵盤装置の構成を示す模式的な側面図である。同図において、鍵盤装置の後半部の図示が省略されている。
【００２６】
この鍵盤装置は、鍵フレーム１０にそれぞれ複数の白鍵２０及び黒鍵３０が、各々、鍵支点部１１で揺動自在に支持されてなる。鍵フレーム１０には、白鍵２０の押鍵終了位置を規制する下限ストッパ１２、白鍵２０及び黒鍵３０の非押鍵位置である上限位置を規制する上限ストッパ１３が配設される。また、鍵フレーム１０に配設された不図示の基板上に押鍵スイッチ１４が、各白鍵２０、黒鍵３０に対応して設けられる。
【００２７】
白鍵２０、黒鍵３０には、垂下部２１、３１が垂下して設けられると共に、アクチュエータ２２、３２も垂下して設けられる。垂下部２１、３１の下端部は後方に延出し、その延出した部分が上限ストッパ１３に当接して、白鍵２０及び黒鍵３０の上限位置が規制される。また、白鍵２０及び黒鍵３０の押鍵操作に伴い、アクチュエータ２２、３２が対応する押鍵スイッチ１４を押圧することで、押鍵操作が検出され、不図示の楽音発生部から電子音が発音される。
【００２８】
白鍵２０の鍵本体部分は、ベース部２３と、上板部２４と前小口２５とから構成される。ベース部２３は、木または木質系部材でなり、垂下部２１が貫通する穴２３ａを有する。ベース部２３にはまた、アクチュエータ２２が貫通する穴２３ｂ、鍵支点部１１を支点として白鍵２０が揺動するための穴２３ｃも形成されている。
【００２９】
上板部２４は、板状に形成され、ベース部２３の上面に接着等で固着される。上板部２４の上面２４ａが、押鍵操作される押鍵面を提供する。垂下部２１及びアクチュエータ２２は、上板部２４の下面から垂設されている。前小口２５は、ベース部２３の前面に接着等で固着される。黒鍵３０において、垂下部３１及びアクチュエータ３２は、鍵本体部３３の下端から垂設されている。鍵本体部３３の上面３３ａが、押鍵操作される押鍵面を提供する。
【００３０】
上板部２４等の材料について説明する。上板部２４等の材料は、石の粉と白色系の着色剤とをＡＳ（アクリロニトリル・スチレン）樹脂に混ぜたものである。粉状にする石としては、ケイ酸カルシウム、炭酸カルシウム、ケイ藻土等が用いられる。白色系の着色剤としては、乳白色の顔料等が用いられる（例えば、酸化チタン、二酸化チタン、酸化亜鉛、鉛白、リトボン等）。この材料で成形した鍵は、表面に細かな凹凸ができて多孔質となり、吸汗性や適当な滑り抵抗を有する部材となる。このような部材は、象牙に近似しており、演奏に非常に適したものとなる。
【００３１】
ここで、石の粉の含有量は、重量比で３〜５０％とすれば、演奏に適した特性を維持できるが、高級な鍵盤装置を念頭におけば、好ましくは、重量比で１０〜３０％とする。
【００３２】
一方、黒鍵３０の材料は、上板部２４等の材料とは混在させる着色剤のみが異なる同一材料である。黒鍵３０用の黒色系の着色剤としては、黒色系の顔料等が用いられる（例えば、カーボンブラック、酸化鉄等）。
【００３３】
なお、白鍵２０の上板部２４等、黒鍵３０を構成する部材は、着色剤のみが異なる同一部材（材料）であって、吸汗性を有する多孔質の部材であればよく、他の材料を利用してもよい。例えば、上記特許文献１（特公平０６−０３１９３８号公報）等に記載されたいわゆる人工象牙等であってもよい。
【００３４】
白鍵２０において、上板部２４、垂下部２１及びアクチュエータ２２が、上記材料で金型射出成形により一体に形成される。前小口２５は、上板部２４等と同一（着色剤も同一）の材料で金型射出成形により形成される。そして、ベース部２３の穴２３ａ、２３ｂ、２３ｃに垂下部２１、アクチュエータ２２、鍵支点部１１を貫通させて、上記のようにベース部２３の上面に上板部２４の下面を接着する。さらに、前小口２５をベース部２３の前面に接着する。これにより、１つの白鍵２０が完成する。一方、黒鍵３０において、鍵本体部３３、垂下部３１及びアクチュエータ３２が、上記材料で金型射出成形により一体に形成される。
【００３５】
このようにして得られた白鍵２０と黒鍵３０の押鍵面となる各上面２４ａ、３３ａは、素材としては着色剤が異なるだけであるので、演奏操作に関する特性は全く同じである。従って、演奏時の触感差はない。また、白鍵２０と黒鍵３０の外観は、色彩を除けば全く同じであり、いずれにも高級感が得られる。特に、黒鍵３０において、従来の黒檀製に比し、特性や外観が劣るわけでもない。
【００３６】
本実施の形態によれば、白鍵２０及び黒鍵３０に良好な触感と良好な外観を与えると共に、白鍵２０と黒鍵３０の演奏時の触感差を最小限に抑えることができる。
【００３７】
なお、前小口２５は、上板部２４と別体ではなく一体に形成してもよい。そのようにすれば、白鍵２０の上面と前面との統一感を持たせて高級感を与えることができる。
【００３８】
なお、垂下部２１、３１やアクチュエータ２２、３２は、上板部２４、鍵本体部３３とは一体ではなく別体で構成してもよい。その場合、垂下部２１、３１やアクチュエータ２２、３２の材料は、上板部２４と同じでなくてもかまわない。
【００３９】
なお、高級感を与えると共に演奏時の触感差をなくす観点からは、上板部２４や鍵本体部３３のすべてが上記吸汗性を有する多孔質の材料で構成されていなくてもよい。すなわち、最低限、押鍵面となる上面２４ａ、３３ａだけがそのような材料で構成されていればよい。従って、例えば、上板部２４を複層構成にして、最上層にだけ上記吸汗性を有する多孔質の材料を採用してもよい。
【００４０】
なお、本実施の形態では、着色材を除けば、白鍵２０の上板部２４等と黒鍵３０とは同一部材で構成されたが、色彩以外の外観が全く同一であると、いかにも人工的な印象となり、かえって高級感に欠けてしまうおそれもある。そこで、押鍵面となる、白鍵２０の上板部２４の上面２４ａと、黒鍵３０の鍵本体部３３の上面３３ａとの表面の粗さをあえて異ならせてもよい。
【００４１】
図２（ａ）、（ｂ）は、それぞれ白鍵２０の上板部２４、黒鍵３０の鍵本体部３３を成形するための金型装置の一例を示す模式図である。図２（ａ）、（ｂ）の例では、金型装置は、白鍵２０用に第１金型４１と第２金型４３が用いられ、黒鍵３０用に第１金型５１と第２金型５３が用いられるとする。第１金型４１、５１には、上板部２４、鍵本体部３３に対応するキャビティ４２、５２が複数設けられる。
【００４２】
上面２４ａ、３３ａの表面の粗さを異ならせる場合、例えば、いずれか一方を鏡面、他方を微小な凹凸面に仕上げる。このような処理は、第１金型４１、５１の、上面２４ａ、３３ａに対応する部分である底面４２ａ、５２ａの面の粗さで調節することができ、金型の凹凸面はシボ加工等で実現できる。この場合、上面２４ａ、３３ａの面粗さの差は、触感差がほとんど生じない程度に小さくする。上面２４ａ、３３ａの微小な凹凸の有無は、触感よりもまず外観の差となって現れるので、触感にほとんど影響を与えることなく外観だけを上面２４ａと上面３３ａとで異ならせることは可能である。
【００４３】
このように、白鍵２０と黒鍵３０との外観上の違いを出して人工物感を抑制することができる。
【００４４】
（第２の実施の形態）
図３は、本発明の第２の実施の形態に係る電子楽器の鍵盤装置の１つの白鍵の構成を示す斜視図である。
【００４５】
本実施の形態では、白鍵２０の形状は第１の実施の形態のものと同様である。第１の実施の形態では、上板部２４の上面２４ａは一様な面粗さで構成されたが、本第２の実施の形態では、上板部２４の上面２４ａの仕上げが不均一である点が第１の実施の形態とは異なる。
【００４６】
本実施の形態では、図３に示すように、上板部２４の上面２４ａに、可視光反射率が高い光沢部２４ａ１と、光沢部２４ａ１に比し可視光反射率が低く曇ったように見えるつや消し部２４ａ２とを不規則に設ける。
【００４７】
このような同一面上における可視光反射率の差異は、金型による射出成形時の成形条件を調整することで実現できる。例えば、上面２４ａを一様な粗さの面に仕上げるのに適した通常の成形条件に対して、
（ａ）樹脂温度に変化を付ける
（ｂ）射出速度に変化をつける
のいずれかまたは双方を適用することで実現できる。
【００４８】
仕上げ面を均一にすることは非常に精密な条件管理の下で可能であるので、上記条件（ａ）、（ｂ）を適用することで、成形品質に影響を与えることなく作ることが可能である。これにより、可視光反射率の差異を不規則な位置に設けることができる。あるいは、コンピュータ制御により、成形条件を毎回僅かに変化させるようにしてもよい。
【００４９】
他の形状の白鍵２０も同様に成形され、同時に成形されるものも異なる模様となる。従って、１つの鍵盤装置においても、同一模様の白鍵２０が存在しない、という状態となる。なお、黒鍵３０の鍵本体部３３の上面３３ａについても同様に可視光反射率を部位によってランダムに異ならせてもよい。
【００５０】
また、別の手法として、模様の異なる金型自体を複数種類設ける手法も可能である。この場合は、成形条件は通常の条件でよいが、できあがる白鍵２０の模様の種類数は限定される。同じ鍵盤装置内に同じ模様が含まれないように、金型種類数を設定するのが望ましい。金型の製造は次のようにしてなされる。
【００５１】
金型における、上板部２４の上面２４ａに対応する部分（例えば、図２（ａ）に示す底面４２ａ）において、
（ｉ）光沢部２４ａ１に対応する領域の面積を決定し、
（ii）光沢部２４ａ１に対応する領域の数を決定し、
（iii）光沢部２４ａ１に対応する領域の形状を決定し、
（iv）光沢部２４ａ１に対応する領域の配置位置を決定する。
【００５２】
上記（ｉ）〜（iv）の決定は、例えば、ランダム発生器を用いて行い、予め設けたパターンから選択、乃至、予め定めた範囲内で決定する。そして、決定した光沢部２４ａ１に対応する領域を金型自体の製造時の加工に反映させる。
【００５３】
本実施の形態によれば、鍵の素材の人工物感を抑制して、高級感を得ることができる。
【００５４】
なお、素材の人工物感を抑制する観点からは、上面２４ａにおける可視光反射率を不均一にする代わりに、光沢部２４ａ１に相当する領域を他の領域に対して段差状に僅かに突出または埋没させるように形成してもよい。
【００５５】
なお、第１、第２の実施の形態では、白鍵２０単体としての側面には、ベース部２３の側面が露出している。しかし、白鍵２０の側面にも、上板部２４と同一の材料で形成した部材を設けて、それを白鍵２０単体としての側面としてもよい。
【００５６】
例えば、上板部２４に相当する部分と白鍵２０の側面に相当する部分とを、上記した上板部２４で用いたのと同じ吸汗性を有する多孔質の材料で一体に形成し、ベース部２３を囲うようにベース部２３に貼着する。その場合、前小口２５に相当する部分も一体に形成してもよい。あるいは、白鍵２０の側面に相当する部分については、上板部２４とは別体で形成して、ベース部２３に貼着してもよい。
【００５７】
白鍵２０の側面に相当する部分については、図４（ａ）に示すように、白鍵２０Ａの側面のうち、少なくとも、左右に隣接する鍵（白鍵２０Ｂ）が押下状態にあるときに外観となって視認される見えがかり領域２０ｂＡのすべてが、上記した吸汗性を有する多孔質の材料で形成されるようにする。
【００５８】
これにより、白鍵２０の側面についても、上面と同じ外観且つ同じ触感が確保される。従って、演奏中における外観が向上するだけでなく、白鍵２０における通常演奏時とグリッサンド演奏時との触感差を抑制することができる。
【００５９】
また、図４（ｂ）に示すように、黒鍵３０にも適用できる。すなわち、黒鍵３０Ａの鍵本体部３３の側面のうち、少なくとも、左右に隣接する鍵（白鍵２０Ｂ）が押下状態にあるときに外観となって視認される見えがかり領域３０ｂのすべてが、上記した吸汗性を有する多孔質の材料で形成されるようにする。
【００６０】
なお、少なくとも見えがかり領域２０ｂＡ、３０ｂが上記した吸汗性を有する多孔質の材料で構成されていればよく、演奏時及び非演奏時に視認されない部分については、他の材料で構成してもよい。
【００６１】
なお、このような鍵側面に上記した吸汗性を有する多孔質の材料を適用したものにも、上面２４ａ、３３ａの表面粗さを異ならせること（図２参照）、あるいは、第２の実施の形態における上板部２４の上面２４ａの可視光反射率を不均一にすることを適用してもよい。
【図面の簡単な説明】
【００６２】
【図１】本発明の第１の実施の形態に係る電子楽器の鍵盤装置の構成を示す模式的な側面図である。
【図２】白鍵の上板部、黒鍵の鍵本体部を成形するための金型装置の一例を示す模式図である。
【図３】本発明の第２の実施の形態に係る電子楽器の鍵盤装置の１つの白鍵の構成を示す斜視図である。
【図４】白鍵、黒鍵の側面の見えがかり領域を説明するための模式図である。
【符号の説明】
【００６３】
１０  鍵フレーム（鍵支持部材）、  ２０  白鍵、  ２０ｂＡ、３０ｂ  見えがかり領域、  ２４  上板部、  ２４ａ  上面、  ２５  前小口、  ３０  黒鍵、  ３３  鍵本体部、  ３３ａ  上面
【図１】
2008116758.tif 000003
【図２】
2008116758.tif 000004
【図３】
2008116758.tif 000005
【図４】
2008116758.tif 000006